【手続補正書】
【提出日】平成16年4月30日(2004.4.30)
【手続補正１】
【補正対象書類名】明細書
【補正対象項目名】特許請求の範囲
【補正方法】変更
【補正の内容】
【特許請求の範囲】
【請求項１】
縦軸線を有する細長い重ね板ばね素材（２）の端部にアイ（２２）を形成する方法であって、
前記素材（２）を所定の温度まで加熱するステップと、
加熱された前記素材（２）を、片持部分（１０）が前記素材（２）の縦軸線を横切るように位置する回転中心軸を有する回転アイピン（５）から所定の長さだけ延びた状態で、作動位置に保持するステップと、
前記アイピン（５）を成形板（８）へ向かう方向へ付勢しながら、前記片持部分（１０）を前記成形板によって前記アイピン（５）と係合させてその周りに所定の周長だけ巻き付けるステップと、
前記アイピン（５）を前記アイ（２２）から取り外すステップと、
を有する、重ね板ばねアイの形成方法。
【請求項２】
前記アイ（２２）を形成する前に、端部（２４）が前記素材（２）の底面に一致するようにスカーフブレード（１４）により前記素材（２）の前記端部（２４）をそぎ落とすステップを含む、請求項１記載の重ね板ばねアイの形成方法。
【請求項３】
前記スカーフブレード（１４）は、そぎ落し動作中は斜め下向きに移動するように作動する、請求項２記載の重ね板ばねアイの形成方法。
【請求項４】
前記成形板（１６）は、前記アイ（２２）の形成工程中は斜め下向きに移動するように作動する、請求項１記載の重ね板ばねアイの形成方法。
【請求項５】
縦軸線を有する細長い重ね板ばね素材（２）の端部にアイ（２２）を形成する装置（１００）であって、
前記素材（２）を自身に取り外し可能に固定する手段を有する第１の固定支持台（３２）と、
前記支持台（３２）上にスライド可能に取り付けられた第１のフレーム（３４）と、
前記第１のフレーム（３４）上に取り付けられ、前記素材の片持部分（１０）が支持台（４）に対してオーバハングする状態で前記素材（２）を作動位置に支持する第２の支持台（４）と、
前記素材（２）に所定の長さの片持部分が与えられる位置において前記片持部分（１０）の下側に接触するように、前記第１のフレーム（３４）上に取り付けられている回転アイピン（５）と、
前記第１のフレーム（３４）上に取り付けられ、前記アイの形成動作中は前記素材の片持部分（１０）が前記支持台（４）にオーバハングするような関係で前記素材（２）を前記アイピン（５）および前記第２の支持面（４）の一方または両方に当たるように保持するように作動する成形クランプ機構（８）と、
前記固定支持台（３２）に固定された第２のフレーム（４２）と、
前記第２のフレーム（４２）上に取り付けられ、前記素材（２）の前記片持部分（１０）の端部と下向きに係合することができるスカーフブレード（１４）と、
前記第２のフレーム（４２）上に取り付けられ、前記素材（２）の前記片持部分の、前記アイピン（５）とは反対側の面に下向きに係合することができる成形板（１６）と、
前記スカーフブレード（１４）を移動させて前記素材（２）の前記片持部分（１０）の端部にそぎ落しのために係合させ、そぎ落し動作が完了すると、前記スカーフブレード（１４）を前記端部から離脱させる手段と、
前記成形板（１６）を移動させて前記片持部分（１０）の、前記アイピン（５）とは反対側の面に接触係合させ、次に前記素材（２）の前記片持部分（１０）を前記アイピン（５）の周りに所定の周長だけ巻き付けて前記アイ（２２）を形成し、その後に前記成形板（１６）を前記面から離脱させる手段と、
前記アイピン（５）を前記アイ（２２）から取り外す手段と、を備え、
前記成形板（１６）が前記素材（２）の前記片持部分（１０）を前記アイピン（５）の周りに巻き付けている間は、前記素材（２）、前記第２の支持台（４）、前記アイピン（５）、および前記成形クランプ機構（８）が前記成形板（１６）へ向けて付勢されるように作動する、重ね板ばねアイの形成装置。
【請求項６】
前記スカーフブレード（１４）および前記成形板（１６）が、前記第２のフレーム（４２）とスライドして係合する第３のフレーム（１２）上に取り付けられている、請求項５記載の重ね板ばねアイの形成装置。
【請求項７】
前記スカーフブレード（１４）は、前記第３のフレーム（１２）および前記成形板（１６）に対して移動することができる、請求項６記載の重ね板ばねアイの形成装置。
【請求項８】
前記スカーフブレード（１４）および前記成形板（１６）は、前記片持部分（１０）と斜め下向きに係合する、請求項５記載の重ね板ばねアイの形成装置。
【請求項９】
前記第３のフレーム（１２）は、そぎ落し動作中は前記アイピン（５）を支持することを含む、請求項６記載の重ね板ばねアイの形成装置。
【請求項１０】
前記支持台（４）は、垂直方向に位置決め可能な支持面を有する、請求項５記載の重ね板ばねアイの形成装置。
【手続補正２】
【補正対象書類名】明細書
【補正対象項目名】０００１
【補正方法】変更
【補正の内容】
【０００１】
【発明の属する技術分野】
本発明は一般的に車両の重ね板ばね素材の端部にアイを形成する方法および装置に関し、特に斜め下向きの運動を利用して加熱された重ね板ばね素材の端部をそぎ落し次に素材の所定長を回転アイピン周りに巻き付けてアイを形成する方法および装置に関する。
【手続補正３】
【補正対象書類名】明細書
【補正対象項目名】０００７
【補正方法】変更
【補正の内容】
【０００７】
【課題を解決するための手段】
本発明の重ね板ばねアイの形成方法は、縦軸線を有する細長い重ね板ばね素材の端部にアイを形成する方法であって、
素材を所定の温度まで加熱するステップと、
加熱された素材を、片持部分が素材の縦軸線を横切るように位置する回転中心軸を有する回転アイピンから所定の長さだけ素材の延びた状態で、作動位置に保持するステップと、
アイピンを成形板へ向かう方向へ付勢しながら、片持部分を成形板によってアイピンと係合させてその周りに所定の周長だけ巻き付けるステップと、
アイピンをアイから取り外すステップと、を含んでいる。
【手続補正４】
【補正対象書類名】明細書
【補正対象項目名】０００９
【補正方法】変更
【補正の内容】
【０００９】
本発明の重ね板ばねアイの形成装置は、縦軸線を有する細長い重ね板ばね素材の端部にアイを形成する装置であって、
素材を自身に取り外し可能に固定する手段を有する第１の固定支持台と、
支持台上にスライド可能に取り付けられた第１のフレームと、
第１のフレーム上に搭載され、素材の片持部分が支持台に対してオーバハングする状態で素材を作動位置に支持する第２の支持台と、
素材に所定の長さの片持部分が与えられる位置において片持部分の下側に接触するように、第１のフレーム上に取り付けられている回転アイピンと、
第１のフレーム上に搭載され、アイの形成動作中は素材の片持部分が支持台にオーバハングするような関係で素材をアイピンおよび第２の支持面の一方または両方に当たるように素材を保持するように作動する成形クランプ機構と、
固定支持台に固定された第２のフレームと、
第２のフレーム上に取り付けられ、素材の片持部分の端部と下向きに係合することができるスカーフブレードと、
第２のフレーム上に取り付けられ、素材の片持部分の、アイピンとは反対側の面に下向きに係合することができる成形板と、
スカーフブレードを移動させて素材の片持部分の端部にそぎ落しのために係合させ、そぎ落し動作が完了すると、スカーフブレードを端部から離脱させる手段と、
成形板を移動させて片持部分の、アイピンとは反対側の面に接触係合させ、次に素材の片持部分をアイピンの周りに所定の周長だけ巻き付けてアイを形成し、その後に成形板を面から離脱させる手段と、
アイピンをアイから取り外す手段と、を備え、
該装置は、成形板が素材の片持部分をアイピンの周りに巻き付けている間は、素材、第２の支持台、アイピン、および成形クランプ機構が成形板へ向けて付勢されるように作動する。